(57)【要約】      （修正有）【課題】封筒の綴じ代部分の長さを考慮することなく画像データを準備でき、その画像データを封筒の表、裏面に適正に印字すること。【解決手段】封筒を紙送りして、その封筒の表、裏面に印字することを可能とした封筒印字モードを実行可能とした画像記録装置Ｆであって、封筒の綴じ代の長さを登録設定する綴じ代設定手段Ａと、封筒の始端を検知する印字開始センサ３０と、封筒印字モードが選択実行された場合には、印字開始センサ３０が封筒の始端を検知した後、登録設定された綴じ代長さ分を先送りさせて印字を開始させる印字制御手段１とを備えたことを特徴とする。【選択図】図１
2007069390.tif 000002
【特許請求の範囲】
【請求項１】
封筒を紙送りして、その封筒の表、裏面に印字することを可能とした封筒印字モードを実行可能とした画像記録装置であって、
封筒の綴じ代の長さを登録設定する綴じ代設定手段と、
封筒の始端を検知する印字開始センサと、
封筒印字モードが選択実行された場合には、上記印字開始センサが封筒の始端を検知した後、上記登録設定された綴じ代長さ分を先送りさせて印字を開始させる印字制御手段とを備えたことを特徴とする画像記録装置。
【請求項２】
請求項１において、
通信端末器と通信するためのインターフェースをさらに備え、
上記通信端末器より封筒印字モードの指令を受け付けて、封筒印字モードを実行することを特徴とする画像記録装置。
【請求項３】
請求項１または２において、
フラットベッド型の原稿読取部をさらに備え、
上記綴じ代設定手段は、この原稿読取部に封筒を載せたときに、封筒の綴じ代を自動計測した後、その綴じ代の長さを自動登録することを特徴とする画像記録装置。
【発明の詳細な説明】
【技術分野】
【０００１】
本発明は、封筒を紙送りしてその封筒の表、裏面に画像を印字する画像記録装置に関するものである。
【背景技術】
【０００２】
従来、プリンタ、複合機などを使用して封筒に宛名等を印字する場合には、プリンタ、複合機などにクライアントとして接続されたパソコン側で、封筒の印字禁止領域である綴じ代部分を考慮して、その綴じ代部分を除く部分に対応した画像データを作成していた。
【発明の開示】
【発明が解決しようとする課題】
【０００３】
しかしながら、パソコン側で綴じ代長さを考慮してデータを作成するのは容易ではなく、利用者の負担は大きい。特に、封筒の種類が異なれば綴じ代長さも異なるため、同一画像の印字であっても、印字対象の封筒が異なればデータを修正して印字指令しなければならなかった。
【０００４】
本発明は、このような事情を考慮して提案されたもので、その目的は、封筒の綴じ代部分の長さを考慮することなく画像データを準備でき、その画像データを封筒の表、裏面に適正に印字することができる画像記録装置を提供することにある。そのために本発明では、画像記録装置側で綴じ代長さの設定をできるようにしているが、そのように画像記録装置側の設定により封筒印字ができるようにした先行技術は存在しない。
【課題を解決するための手段】
【０００５】
上記目的を達成するために、請求項１に記載の画像記録装置は、封筒を紙送りして、その封筒の表、裏面に印字することを可能とした封筒印字モードを実行可能とした画像記録装置であって、封筒の綴じ代の長さを登録設定する綴じ代設定手段と、封筒の始端を検知する印字開始センサと、封筒印字モードが選択実行された場合には、印字開始センサが封筒の始端を検知した後、登録設定された綴じ代長さ分を先送りさせて印字を開始させる印字制御手段とを備えたことを特徴とする。
【０００６】
請求項２では、通信端末器と通信するためのインターフェースをさらに備え、通信端末器より封筒印字モードの指令を受け付けて、封筒印字モードを実行することを特徴とする。
【０００７】
請求項３では、フラットベッド型の原稿読取部をさらに備え、綴じ代設定手段は、この原稿読取部に封筒を載せたときに、封筒の綴じ代を自動計測した後、その綴じ代の長さを自動登録することを特徴とする。
【発明の効果】
【０００８】
請求項１〜３に記載の画像記録装置によれば、あらかじめ封筒の綴じ代長さを登録しておき、封筒印字モードの印字指令があったときに、登録された綴じ代長さ分を先送り制御する装置構成であるため、利用者は、封筒の印字禁止領域（綴じ代部分）を考慮することなく、封筒印字モードを実行することができる。
【０００９】
請求項２に記載の通信端末装置では、インターフェースを介して、通信端末器より封筒印字モードの指令を受け付けて封筒印字モードを実行するようにしているため、通信端末器側では、綴じ代長さを意識することなく画像データを作成すればよい。
【００１０】
請求項３に記載の画像記録装置では、封筒を原稿読取部で読み取らせ、綴じ代長さを自動登録する構成であるため、正確な情報を効率よく登録することができる。
【発明を実施するための最良の形態】
【００１１】
以下に、本発明の実施形態について、添付図面を参照しながら説明する。
【実施例１】
【００１２】
図１は、本発明の画像記録装置の基本構成を示すブロック図である。なお、本実施例では、画像記録装置としてファクシミリ複合機を例示する。
【００１３】
画像記録装置Ｆは、ＭＰＵ１、ＮＣＵ２、モデム３、記憶部４、各種プログラムや定数データが保存されたＲＯＭ５、画像メモリ６、ＣＯＤＥＣ７、操作部８、原稿読取部９、印字部１０、ＰＣインターフェース１１を備えている。
【００１４】
ＭＰＵ１は、各プログラムにしたがって、上記各部を制御するとともに、後述する印字制御手段を構成する。ＮＣＵ２は、公衆回線Ｎに対する発信、着信の網制御を行い、モデム３は、送受信データの変調および復調を行う。これらにより、ファクシミリ送受信を実行する。
【００１５】
記憶部４は、ＲＡＭなどで構成され、各種設定データや可変データが格納される。また、封筒の綴じ代長さ４ａは、後述する綴じ代長さ設定手段Ａによって設定され、この記憶部４に保存される。
【００１６】
また、ＣＯＤＥＣ７は、読み取った画像データを送信するためにＭＨ、ＭＲ、ＭＭＲなどの方式により符号化する一方、受信した画像データを印字出力するために復号する。
【００１７】
操作部８は、操作パネル等からなり、ＭＰＵ１やプログラムとともに、封筒の綴じ代長さを画像メモリ６に登録するための綴じ代設定手段Ａを構成する。
【００１８】
原稿読取部９は、フラットベットスキャナ（不図示）などを含んで構成され、原稿画像を読み取り、２値化した画像データを画像メモリ６に出力する機能を備えている。
【００１９】
印字部１０は、記録紙送り手段１０ａ、搬送路上で記録紙を検知する種々の記録紙検知センサ１０ｂ・・・、感光ドラムなどで構成される印字出力手段１０ｃなどを含んで構成される。記録紙検知センサ１０ｂ・・・のうちには、記録紙に対し印字を開始する位置を決定するために設けられた印字開始センサ３０が含まれる。
【００２０】
また、ＰＣインターフェース１１は、パソコン等の通信端末装置（不図示）と通信可能に接続するためのインターフェースである。
【００２１】
この画像記録装置Ｆは、原稿読取部９で読み取った画像データを順次符号化したのち、いったん記憶部４に保存し、モデム３、ＮＣＵ２を介して、相手先のファクシミリ装置（不図示）に対して送信する一方、画像データを受信したときには、受信した画像データを画像メモリ６に保存し、順次読み出して復号して、印字部１０によって印字出力するファクシミリ送受信基本機能と、原稿読取部８で読み取った画像データを記録紙に印字出力する複写機能と、ＰＣインターフェース１１を介して送られてきた画像データを記録紙に印字出力するプリンタ機能とを備えている。
【００２２】
また、この画像記録装置Ｆは、ＰＣインターフェース１１を介して通信端末器より封筒印字モードによる印字指令の要求があったときには、カセット２０（図２参照）等に収容した印字対象の封筒を紙送りして、印字指令とともに送信されてくる印字画像データを、その封筒の表、裏面の綴じ代を除く有効印字面に印字する。
【００２３】
図２は、印字部１０の構造を模式的に示した図であり、記録紙送り手段１０ａ、記録紙検知センサ１０ｂ・・・、印字出力手段１０ｃの各構成を示している。なお、排紙トレイ、手差し給紙部については図示を省略する。
【００２４】
記録紙送り手段１０ａは、搬送モータ（不図示）、搬送路２１ａ、２１ｂ、２１ｃ、各種ローラ２２、２３などを含んで構成される。
【００２５】
２２は送りローラで、カセット２０の搬送路２１ａから給紙される記録紙を、縦方向の搬送路２１ｂに搬送する。縦方向の搬送路２１ｂには記録紙を検出するための搬送センサ１１ｂが配置される。２３は給紙ローラ、２１ｃは横方向の搬送路である。給紙ローラ２３の下流側には、カセット２０から給紙された記録紙を検出するための搬送センサ１０ｂが配置される。
【００２６】
２４はトナーカートリッジ、２５は現像ローラ、２６は感光ドラム、２７は転写ローラ、２８はローラを用いた定着器であり、これらによって印字出力手段１０ｃを構成する。カセット２０から送られてきた記録紙は横方向搬送路２１ｃを搬送され、その記録紙に対して、トナーカートリッジ２４、感光ドラム２６、定着器２８等によって、画像データが印字出力される。
【００２７】
横方向の搬送路２１ｃには、感光ドラム２６の直近位置に、記録紙の始端を検知する印字開始センサ３０が設置されている。
【００２８】
印字指令があった場合に、この印字開始センサ３０が記録紙の始端を検知すると、印字制御手段１は、その検知信号タイミングと感光ドラム２６までの距離等により記録紙の印字開始位置を判断して、画像データを記録紙に印字出力させるよう印字出力手段１１ｃを制御する。
【００２９】
この印字開始位置制御は、普通の記録紙に対する普通印字モードでの印字と、封筒印字モードでの印字とでは異なる。封筒印字モードでは、封筒の綴じ代部分が印字禁止領域となるため、印字制御手段１は、綴じ代部分を除く封筒表、裏面の有効印字面の先端位置から印字が開始されるように、あらかじめ記憶部４に格納されている綴じ代部分の長さ４ａ分を先送りするよう、封筒を搬送制御する。
【００３０】
図３は、本発明装置の制御手段１による紙送りの基本動作を示すフローチャートである。
【００３１】
印字制御手段１は、印字指令を受け取ると、記録紙の搬送を開始し、その後、印字開始センサ３０が記録紙の始端を検知すると、封筒印字モードの指令のときにかぎり、記憶部４から封筒綴じ代長さ４ａを取り出して、その長さ分を先送り搬送する（ステップ１０１〜１０５）。
【００３２】
そして、上記処理により印字開始位置が決定すると、印字出力手段１１ｃによって、記録紙または封筒への印字が開始される（ステップ１０６）。
【００３３】
以上のように本発明装置の構成によれば、あらかじめ封筒の綴じ代長さ４ａ記憶部に登録しておけば、封筒印字モードの印字指令があったときに、登録された綴じ代長さ分が先送り制御されるため、利用者は、封筒の印字禁止領域（綴じ代部分）を考慮することなく、封筒印字モードの印字を実行することができる。
【００３４】
なお、印字対象の封筒は、手差し給紙部より給紙するようにしてもよい。
【００３５】
また、先送りすべき封筒綴じ代長さを封筒の種類ごとに変えるようにしてもよい。そのようにするためには、複数種類の封筒の封筒印字モードに対応した封筒綴じ代長さをあらかじめ保存しておけばよい。
【実施例２】
【００３６】
図４は、本発明の画像記録装置の基本構成を示すブロック図である。
【００３７】
本装置は、実施例１で示した画像記録装置と同一のものであるが、封筒の綴じ代長さを記憶部４に登録するための綴じ代設定手段Ｂの構成が異なる。図示するように、本実施例の場合は、フラットベッド型の原稿読取部９が、ＭＰＵ１、プログラムなどとともに綴じ代長さ設定手段Ｂを構成する。
【００３８】
すなわち、綴じ代長さ設定手段Ｂは、原稿読取部９が印字すべき封筒と同一サイズの封筒を読み取って、読み取った封筒の形状的特徴から綴じ代部分を判断して、その綴じ代の長さを記憶部４に自動登録するようにしている。そのような動作をさせるために、原稿読取部９は封筒を判断するための封筒判別センサ９ａを備え、さらに、綴じ代長さを計測する構成となっている。
【００３９】
図５は、フラットベットスキャナのプラテンガラスへ封筒を載置したときの平面図である。
【００４０】
図中、Ｘで示す部分には、封筒判別センサ８ａが設置される。封筒Ｅをプラテンガラス９ｂに載置して読取走査指示の操作をすると、プラテンガラス９ｂに原稿が載置されたことを他の原稿検知センサ（不図示）が検知するが、ＭＰＵ１はそのとき、封筒判別センサ９ａが原稿を検知しなかったことを条件に、その原稿を封筒Ｅであると判断する。
【００４１】
そして、載置原稿を封筒Ｅと判断した場合には、封筒判別センサ９ａまたは他のセンサ（不図示）を、主走査方向、副走査方向へ移動させるなどしながら、封筒Ｅの綴じ代長さＬを計測し、それを記憶部４の綴じ代長さ４ａに保存する。
【００４２】
なお、その後の印字指令にもとづく紙送り動作については図３と同様であるため、説明を省略する。
【００４３】
このように、封筒Ｅを原稿読取部９で読み取って記憶部４に保存するようにしているので、操作部８からの入力と異なり、入力誤りがなく、正確に綴じ代長さを登録設定することができる。
【００４４】
また、本実施例は、読み取った封筒Ｅの原稿画像データを封筒に対して印字する封筒コピージョブにも適用される。すなわち、封筒コピージョブでは、封筒原稿をプラテンガラス９ｂに載置してコピー操作をすると、綴じ代長さ設定手段Ｂが綴じ代長さを計測して記憶部４に自動登録するとともに、原稿読取部９が綴じ代部分を除く封筒有効面の画像を読み取り、封筒印字モードの印字指令を印字制御手段１に対して出力する。印字制御手段１は、この印字指令を受けると、印字対象である封筒をカセット２０または他の給紙部（不図示）から取り出して搬送させ、印字開始センサ３０が搬送されてきた封筒の始端を検知すると、図３に示した先送り制御を実行する。
【図面の簡単な説明】
【００４５】
【図１】本発明の画像記録装置の基本構成（実施例１）を示すブロック図である。
【図２】本発明装置の印字部構造を模式的に示した図である。
【図３】本発明装置の記録紙送り制御の基本動作を示すフローチャートである。
【図４】本発明の画像記録装置の基本構成（実施例２）を示すブロック図である。
【図５】原稿読取部のプラテンガラスへ封筒を載置したときの平面図である。
【符号の説明】
【００４６】
Ｆ      画像記録装置
１      ＭＰＵ（印字制御手段）
４      記憶部
４ａ      綴じ代長さ
８      操作部
９      原稿読取部
１０      印字部
１０ａ      記録紙送り手段
１０ｂ      記録紙検知センサ
３０      印字開始センサ
１０ｃ      印字出力手段
１１      ＰＣインターフェース
Ａ、Ｂ      綴じ代設定手段
【図１】
2007069390.tif 000003
【図２】
2007069390.tif 000004
【図３】
2007069390.tif 000005
【図４】
2007069390.tif 000006
【図５】
2007069390.tif 000007